Podtech/llm-jp-corpus-v4-ja_patent huggingface dataset:
(57)【要約】【目的】ビタミンやミネラル、繊維質が豊富でありながら、常食しずらい玄米や雑穀類と野菜類や肉類、卵類、果汁類、発酵乳を、粉砕・混合・濾過・殺菌工程を経て飲食しやすく美味しい栄養価の高い米入り混合飲料食品を得る。【構成】玄米または白米を炊くか蒸すかした主材料（１）と、玄米や白米、豆類、麦類、コーン等雑穀を焙煎した複材料（２）と、加工した野菜類や肉類、卵類等の添加材料（３）を粉砕機（Ａ）にて粉砕し、これに果汁類（４）または発酵乳（５）、またはその両者を加えてミキサー（Ｂ）にて攪拌混合すると共に、これを濾過機（Ｃ）にて濾過し、且つ殺菌装置（Ｄ）にて殺菌処理した後、瓶（Ｅ）または缶（Ｆ）、または袋（Ｇ）、またはパック容器（Ｈ）に密封してなる。【選択図】    図１
2004187663.tif 000002
【特許請求の範囲】
【請求項１】
玄米または白米を炊くか蒸すかした主材料（１）と、玄米や白米、豆類、麦類、コーン等雑穀を焙煎した複材料（２）と、加工した野菜類や肉類、卵類等の添加材料（３）を粉砕機（Ａ）にて粉砕し、これに果汁類（４）または発酵乳（５）、またはその両者を加えてミキサー（Ｂ）にて攪拌混合すると共に、これを濾過機（Ｃ）にて濾過し、且つ殺菌装置（Ｄ）にて殺菌処理した後、瓶（Ｅ）または缶（Ｆ）、または袋（Ｇ）、またはパック容器（Ｈ）に密封してなる米入り混合飲料食品。
【発明の詳細な説明】
【０００１】
【発明の属する技術分野】
この発明は、米を主原料とした新規な混合飲料食品であって、米を主材料としこれに焙煎した米、麦類、豆類、コーン等と、野菜類や肉類、卵類の複材料を混入して粉砕し、更に果汁類や発酵乳を加えてミキサーにて攪拌混合すると共に、これを濾過及び殺菌したる後、瓶や缶、袋、パック容器に密封してなるものである。
【０００２】
【従来の技術】
従来、米は日本の主食であり、ご飯を初めおかゆや、ぞうすい、おにぎりなどが一般的である。また、せんべいや蒸しパン、米うどん、だんご、お酒、甘酒などがある。
【０００３】
【発明が解決しようとする課題】
米を主原料とした食品は数多くあるが、飲料食品としては少なく酒類を除けば殆どない。ましてジュース的な飲料としては皆無に等しい。
【０００４】
上述に鑑み本発明は、従来の果物ジュースや野菜ジュース、コーヒー、ココア、紅茶、緑茶、ウーロン茶、牛乳、豆乳、乳酸飲料、コーラ、炭酸ソーダー飲料等に互して、米を主原料とした米入り混合飲料食品を提供するものである。
【０００５】
【課題を解決するための手段】
本発明は、上記目的を達成するために、日本人の飲料食品に対する好みに適応するよう開発したもので、同時に栄養バランスを配慮し健康増進にも寄与する保健飲料食品である。特に玄米や雑穀類は、ビタミン・ミネラル等が豊富でありながら常食しずらい面があるので、これを何時でも何処でも美味しく摂取することができる。更には余剰米の消費拡大にもつながり日本の農業政策にも貢献することができる。
【０００６】
【発明の実施の形態・実施例】
玄米または白米を炊くか蒸すかした主材料（１）と、玄米や白米、豆類、麦類、コーン等雑穀を焙煎した複材料（２）と、加工した野菜類や肉類、卵類等の添加材料（３）を粉砕機（Ａ）にて粉砕し、これに果汁類（４）または発酵乳（５）、またはその両者を加えてミキサー（Ｂ）にて攪拌混合すると共に、これを濾過機（Ｃ）にて濾過し、且つ殺菌装置（Ｄ）にて殺菌処理した後、瓶（Ｅ）または缶（Ｆ）、または袋（Ｇ）、またはパック容器（Ｈ）に密封して米入り混合飲料食品（Ｘ）を得るものである。
【０００７】
なお、該米入り混合飲料食品（Ｘ）に、ゼラチンやゼリー、ヨーグルト等を添加してプリン状食品を得ることもできる。
また、該米入り混合飲料食品（Ｘ）に、バイオニクスで得られた酵素やアミノ酸、糖シロップ等を添加してバイオニクス米入り混合飲料食品とすることもできる。
【０００８】
前記製造過程の濾過機（Ｃ）にて得られた副産物の濾過粕（６）は、焼成機（Ｙ）にて焼成しスナック菓子やせんべい、滋養ビスケット（７）が得られる。この際、ポップコーンやポップライス、小麦粉等の少量を添加することは自由である。
【０００９】
【発明の効果】
従来のジュース類やお茶類に比して特段のコクがあり、ビタミンやミネラル、繊維質が豊富であり、独特の風味ある美味しい飲料食品である。また、整腸作用もあって病中、病後の滋養補給や、離乳食、介護食、美容食としても好適である。更に、スポーツ・レジャー等の携行飲料食として便利重宝である。夏季には冷蔵庫やクーラーボックスで簡単に冷やして飲食でき、冬季にはお湯で暖めればホットスープのように美味しく飲食できる。また、間食やおやつとしても好適な米入り混合飲料食品を提供するものである。
【図面の簡単な説明】
【図１】本発明の製造工程を示す概略図
【符号の説明】
１    主材料
２    複材料
３    添加材料
４    果汁類
５    発酵乳
６    濾過粕
７    滋養ビスケット
Ａ    粉砕機
Ｂ    ミキサー
Ｃ    濾過機
Ｄ    殺菌装置
Ｅ    瓶
Ｆ    缶
Ｇ    袋
Ｈ    パック容器
Ｘ    米入り混合飲料食品
Ｙ    焼成機
【図１】
2004187663.tif 000003
(57)【要約】【課題】コーヒー生豆が持つ本来の旨味成分を引き出すこと。【解決手段】鉄板に砂丘の砂を置き、鉄板を加熱してコーヒー生豆を入れ、ゆっくり撹拌する。この作業を約２５分間進めるとコーヒー独特の香ばしい香りが立ち込め、この段階を８分間維持したら加熱を止め、すぐさま常温送風をしながら振るいに掛けて砂とコーヒー豆を完全に仕分ける【選択図】      図１
2004187662.tif 000002
【特許請求の範囲】
【請求項１】
砂が入っている耐火性の器の中に、コーヒー生豆を入れて、前記器を加熱することによって、砂を介在して前記コーヒー生豆を加熱加工することを特徴とするコーヒー焙煎法。
【発明の詳細な説明】
【０００１】
【発明の属する技術分野】
この発明は、熱源からの熱を耐火性の器の中に入れてある砂を介在させてコーヒー生豆を加熱加工するコーヒー焙煎法に関するものである。
【０００２】
【従来の技術】
コーヒー生豆の焙煎は、従来から行われているが、その多くが熱風をコーヒー生豆に直接当てて加工する熱風式焙煎法であったり、或いは、コーヒー生豆を直接火に当てて加工する直火式焙煎法である。
【０００３】
【発明が解決しようとする課題】
前記従来の技術に見られるようなコーヒー生豆を熱風、あるいは直火で直接熱をあてて
加工する焙煎方法は、コーヒー生豆が持つ旨味成分逃してしまったり、急激な加熱よっておかしたりすることで、コーヒー生豆が持つ本来の旨味成分を引き出すことが出来なかった。これに対し、本出願は、熱源を直接コーヒー生豆に当てず、砂丘の砂を介在して当てることで砂丘の砂が発する微粒子の遠赤外線効果により、コーヒー生豆が本来の旨味成分を引き出し、香り高い酷のある美味しいコーヒーが作られるコーヒー焙煎法である。
【０００４】
【課題を解決するための手段】
請求項１の発明は、砂丘の砂でコーヒー生豆を煎ると砂から出る超微粒子の遠赤外線作用により、独特な風味をだし、香り高い酷のある美味しいコーヒーが作れるコーヒー焙煎法である。この加工方法は、鉄板に砂丘の砂を１０ｍｍの厚みで置き、鉄板を加熱して５０℃になった段階でコーヒー生豆をいれ、１２０℃になるまで約１５分分間ゆっくり撹拌する。この間、コーヒー生豆は蒸らしが進み、１２０℃が越える段階からパチパチという音を立てて加熱が進む。この作業を約２５分間進めるとコーヒー独特の香ばしい香りが立ちこめ、この段階を８分間維持したら加熱を止め、すぐさま常温送風をしながら振るいに掛けて砂とコーヒー豆を完全に仕分ける。
【０００５】
【発明の実施の形態】
この発明の実施の形態については以下図を参照しつつ説明する。
この実施のけ痛いのコーヒー焙煎法、図１に示すように、砂丘の砂１が入っている耐火性の器としての鉄板２の中にコーヒー生豆３ヲ入れて、前記砂１と混ぜ、前記鉄板２で加熱することによって、前記コーヒー生豆３を焙煎する方法である。
【０００６】
ここで使用する砂１の粒度は０．０５及び至２．０ｍｍが適当である。０．０５ｍｍより小さくなると、湿気を含んだとき粘性が出てダンゴ状となり、遠赤外線効果を得られなくなる恐れがあるので適切ではなく、２．０ｍｍより多くなると、湿気が含まれてもバラバラになり、遠赤外線効果を活かせるからである。
【図面の簡単な説明】
【図１】このコーヒー生豆の焙煎法の使用状態を示す断面説明図
【符号の説明】
１  砂
２  鉄板
３  コーヒー生豆
【図１】
2004187662.tif 000003
(57)【要約】【課題】高温に晒さず、また薬品や微生物を使用することなく卵黄から卵油を抽出する【解決手段】生卵を湯の中でボイルし、ゆで卵を作る。これから卵黄を取り出し、温風を当てて乾燥する。乾燥した卵黄を布袋に詰め、圧搾機に掛けて卵油を搾り出す。次いで、袋の中の絞り滓を容器に入れ、かき混ぜながら加熱して卵油を抽出する。【選択図】        図１
2004187642.tif 000002
【特許請求の範囲】
【請求項１】
生卵を茹でてから卵黄を取り出し、これを乾燥させた後、圧搾して卵油を抽出することを特徴とする卵黄の製造法。
【請求項２】
生卵を茹でてから卵黄を取り出し、これを乾燥させた後、圧搾して卵油を抽出し、さらに、残った圧搾滓を加熱して卵油を抽出するることを特徴とする卵黄の製造法。
【請求項３】
圧搾して得られた卵油と、圧搾滓を加熱して得られた卵油を混合することを特徴とする請求項２に記載の卵黄の製造法。
【発明の詳細な説明】
【０００１】
【発明の属する技術分野】
この発明は、鶏卵から卵油を抽出する方法に関する。
【０００２】
【従来の技術】
卵油はレシチンを豊富に含んでおり、健康食品として広く飲用されている。従来の卵油製造法には、▲１▼加熱法、▲２▼酵素法、▲３▼溶剤法などがある。▲１▼の加熱法は鶏卵の卵黄を容器に入れてかき混ぜながら加熱し、滲み出してくる卵油を取り出すものである。この方法は、簡単な設備でできるが、高温に晒され卵黄が焦げるので有効成分が破壊され易く、また、焦げ臭い匂いが残り、色も黒っぽくなる欠点がある。▲２▼および▲３▼の方法は、微生物や薬品を使用するものであって、ビタミンやミネラル類が破壊されやすいなどの欠点があり、真の自然食品は得られない。
【０００３】
【発明が解決しようとする課題】
この発明は、卵油を高温にさらすことなく、また、薬品や微生物を使用することなく抽出することを課題とする。
【０００４】
【課題を解決するための手段】
この発明では、生卵を茹でてから卵黄を取り出し、これを乾燥した後、圧搾して卵油を抽出する（請求項１）。この製法は、材料を高温にさらすことなく、圧搾という機械的操作で卵油を抽出するようにしたものであり、従来の製法では得られない真の自然食品が得られる。また、従来の加熱法に比べて、卵油の収量はほとんど同じであるが、含まれるレシチンの量が多く、色は透明で香りもよい。
【０００５】
しかし、圧搾だけですべての卵油を抽出するには、高度な圧搾装置が要求される。簡単な圧搾装置を用いる場合は、従来の加熱法を併用するとよい。すなわち、残った圧搾滓を容器に入れ加熱して、卵油を抽出する（請求項２）。圧搾滓の水分は大方なくなっているので、この場合、加熱時間は短時間で済む。このように加熱で得られる卵油は、圧搾で作られるものに比べ、含まれるレシチンの量が少なく、色や香りも悪い。そこで、加熱して得られた卵油に圧搾して得られた卵油にを混合するようにすれば、レシチンの量を自在に調整することが可能である（請求項３）。
【０００６】
【発明の実施の形態】
図１に示すように、まず、生卵（鶏卵）を湯の中で普通にボイルし、ゆで卵を作る。これから卵黄を取り出し、数十℃の温風を当てて乾燥する。次いで、乾燥した卵黄を布袋に詰め、圧搾機に掛ける。こうすると、卵黄から卵油が搾り出されてくる。これを加熱殺菌すれば卵油のでき上がりである。なお、卵油をカプセルの中に封じ込めて錠剤にすれば、飲みやすくなる。
【０００７】
次いで、袋の中の圧搾滓を取り出し、これを容器に入れ、かき混ぜながら加熱する。こうすると、従来の加熱法の場合と同様、圧搾滓に含まれていた卵油が滲み出てくるので、これをろ過すれば卵油が得られる。
【０００８】
圧搾法で得られた卵油はレシチンを多量に含み、無臭であり、高品位商品として供給することができる。他方、圧搾滓を加熱して作った卵油は、レシチンが少なく、焦げ臭さが残っているなど品質が落ちる。そこで、これに、圧搾法で抽出した卵油を混ぜることで、レシチンの含有量を増大させ、中品質商品として供給することができる。
【０００９】
【実施例】
生卵1000個、約59kgを80℃の水の中で45分ボイルしてから、卵黄（13.7kg）を取り出す。これをかごに入れて、40℃の温風を当てて、24時間乾燥させる。乾燥した卵黄の重量は6.75kgであった。これを布袋に入れ、圧搾機を使って約140kg/cm2の圧力を掛け、卵油を搾り出した。これを80℃、10分間加熱して殺菌した。得られた卵油の量は1.89kg、色は琥珀色であった。
【００１０】
次いで布袋の中から圧搾滓を取り出し、容器に入れ、かき混ぜながら230℃で60分加熱して、卵油を抽出し、ろ過して異物を取り除いた。これで得られた卵油の量は約1.8kg、黒っぽいを色で、多少焦げ臭い匂がした。加熱時間であるが、従来の加熱法では、2ないし2.5時間を要したのに対し、圧搾滓を加熱する場合は、その半分以下で抽出が完了した。
【００１１】
分析の結果、圧搾で得られた卵油の中のリン脂質（ステアロ・オレオ・レシチン）は15.0g/100ｇであった。この値は、従来の加熱法の場合が600mg/100ｇほどであるから、桁違いに大きいことが分かる。これは、圧搾法では高熱を加えていないことが原因と考えられる。
【００１２】
他方、圧搾滓を加熱して得られた卵油の中のリン脂質は、1.6ｇ/100ｇであった。圧搾法の場合に比べて値が低いのは、言うまでもなく加熱によってレシチンが破壊されたためである。それでも、従来の加熱法に比べると、加熱時間が短いので、リン脂質の割合は2ないし3倍多くなっている。
【００１３】
圧搾滓を加熱して作った卵油と圧搾法で作った卵油を４対１の割合でブレンドすることで、リン脂質4.2ｇ/100ｇの卵油が得られた。
【図面の簡単な説明】
【図１】卵油製造の工程図である。
【図１】
2004187642.tif 000003
(57)【要約】【課題】この発明はパルミラファイバーを穂先として造られた通常のシダホーキと呼ばれている庭ホーキについて、このホーキは一般家庭や工場、学校などで日常よく使用されているが新品の時から空気中の温度の上昇や湿度の低下による乾燥状態におかれると穂先の部分がはね上がり使いづらくなる。このはね上がった穂先の改善には水に浸すという方法があるがホーキの腰が弱くなりゴミを寄せる力が小さくなる。【解決手段】シダホーキの穂先に使われているパルミラファイバーに尿素を水で溶かした尿素水溶液を含浸してこの含浸したパルミラファイバーを穂先として構成することを特徴とするシダホーキを造る。このシダホーキは乾燥状態に置かれても穂先がはね上がりにくいのでいつまでも使い易い。【選択図】    図３
2004187899.tif 000002
【特許請求の範囲】
【請求項１】
尿素（３）を水に溶かして尿素水溶液（２）を設け、これをパルミラファイバー（１）に含浸させ、この含浸させたパルミラファイバー（１）で構成された穂先がはね上がりにくいシダホーキ。
【発明の詳細な説明】
【０００１】
【発明の属する技術分野】
この発明は、一般家庭や工場・学校などで日常使用する通常シダホーキと呼ばれているパルミラファイバー製ホーキに関するものである。
【０００２】
【従来の技術】
シダホーキに使用されている、主にインドから輸入されている天然素材であるパルミラファイバーは、日光に当たったり空気中に放置すると自然に跳ね上がる性質があった。ホーキ市場の大半を占めるこのパルミラファイバーを使用したシダホーキは、製造後日数がたてば経つほどホーキの先端の穂先の部分がはね上がるようになり、ホーキを使用する際に大変使いにくいものになっていた。このためにホーキの製造工程の中で、穂先の原料のパルミラファイバーに水を掛けて湿らせたり、ホーキにカバーを付けたり（特許文献１参照）、穂先部分をミシンで縫ったりしたものはあったが、穂先が跳ね上がるのを防ぐ手立てはなかった。
【０００３】
【特許文献１】
登録番号：登録実用新案第３０４７８６０号、登録日：１９９８年２月１２日実用新案権者：齋藤純江、発明者：齋藤純江、発明の名称：ほこりとり付きホーキカバー
【０００４】
【発明が解決しようとする課題】
製造工程の途中で掛けた水は間もなく蒸発してしまい、又カバーでは穂先の柄に近い部分しか覆えず、ミシンでの縫製も穂先の先端には出来なかった。製造工場ではホーキが生産されると直ちに専用の袋に入れて跳ね上がりを強制的に抑えるよう工夫も施されてはいるものの、どうしても日数の経過に伴って専用袋の中でも跳ね上がるものも多々あった。従ってホーキを使用する人は購入時点で既に跳ね上がっているものがほとんどで、使いづらいのを我慢して使わざるを得ないというのが実状である。ホーキの先端が跳ね上がってなく角が鋭角になっていると、平らな部分は掃きやすく動きに無駄がなくなる。また隅にたまったゴミも綺麗に掃き出すことが出来る。これに対して先端が跳ね上がっていて角の部分が鋭角になっていないと平らな部分を掃いても掃き残しが出たり、隅の部分のゴミを掃き出すのが大変面倒である。本発明はこれらの問題点を改良するために発明されたものである。
【０００５】
【課題を解決するための手段】
尿素（３）を水に溶かして尿素水溶液（２）を設け、これをパルミラファイバー（１）に含浸させる。含浸の方法はスプレー方式でも浸漬方式等どのような方法でもよい。この含浸させたパルミラファイバー（１）を原料にしてシダホーキ（４）を製造する。
【０００６】
【発明の実施の形態】
以下、本発明の実施の形態について図面を参考にしながら説明する。
顆粒乃至微粉末の尿素（３）を水に溶かして尿素水溶液（２）を設け、これをパルミラファイバー（１）に含浸させる。含浸の方法はスプレー方式でも浸漬方式等どのような方法でもよい。この含浸させたパルミラファイバー（１）を原料にしてシダホーキ（４）を製造する。
本発明は以上の構成よりなっている。
天然素材であるパルミラファイバー（１）で構成されていた従来のシダホーキ（４）は、図１のように、生産されて日数が経てば経つほど穂先部分が跳ね上がり使用しづらくなっていた。本発明を利用すると尿素（３）の持つ強力な保湿力によって、パルミラファイバー（１）の中程まで浸透し本来の真直ぐな形状を維持する作用が働き、この結果長期に亘って図２のようにホーキとして使いやすい形状を保つことが出来るようになる。
【０００７】
【発明の効果】
従来のシダホーキでは磨耗によって先端が擦り減ってホーキとして使えなくなる以前に、パルミラファイバーの跳ね上がりによって変形し使いづらくなって破棄する事のほうが多かったのに対して、本発明を使用することによって、パルミラファイバーが跳ね上がりにくくなるためパルミラファイバーが擦り減ってなくなるまでホーキとして使用する事が出来るようになる。従って本発明を使用したシダホーキを購入した人は、購入したシダホーキが使えなくなるまで使用することになり、限りある資源の有効利用に一役貢献することになる。
【図面の簡単な説明】
【図１】従来の穂先が跳ね上がったシダホーキの先端部分の正面図
【図２】本発明を使用したシダホーキの先端部分の正面図
【図３】本発明の実施の形態を表す拡大模式図
【符号の説明】
（１）        パルミラファイバー
（２）        尿素水溶液
（３）        尿素
（４）        シダホーキ
【図１】
2004187899.tif 000003
【図２】
2004187899.tif 000004
【図３】
2004187899.tif 000005
(57)【要約】【課題】従来の長尺物のマフラーは首周りとの密着性が悪く、就寝時は首から外れないかと絶えず気をつける必要がある。さらに、従来の長尺物のマフラーは首周りの保温のみを目的としており、手足の血行を良くすることまでは考慮していない。さらに、冷え性の人は就寝時に手袋及び靴下を併用することが多々あるが、芯まで温かくはならないので冷え性は解消されない。従って、本発明の目的は、従来技術の上記欠点を克服し、さらに、手足の血行を良くするツボである首周りを保温するドーナツ形首巻き健康寝具１を提供することである。【解決手段】本発明により上記欠点は、首周りへの密着性を考慮したことを特徴とするドーナツ形首巻き健康寝具１により達成される。【選択図】図１
2004187897.tif 000002
【特許請求の範囲】
【請求項１】
首周りに密着するようにドーナツ型に構成したドーナツ形首巻き健康寝具。
【請求項２】
上記マフラーの内部にマイナスイオン発生体（または遠赤外線放射性セラミックまたは電磁波を発する磁気体）を組み込むことにより更に手足の血行を良くすることを特徴とする請求項１に記載のドーナツ形首巻き健康寝具。
【発明の詳細な説明】
【０００１】
【発明の属する技術分野】
本発明は、就寝時に首周りに密着可能なドーナツ形首巻き健康寝具に属する。
【０００２】
【従来の技術】
就寝時に冬時期手足が冷えて困ることが老弱男女を問わず多々ある。そこで、キルティングで厚手に形成した下着を着用しさらに手袋及び靴下を併用するなど種々検討されているが、誰もが容易に手足の冷えを解消することは困難であった。しかし、本考案は手足の冷えのツボにあたる首部をドーナツ形首巻き健康寝具で密着し保温することにより、手袋および靴下を用いなくても手足の血行を良くすることを見いだした。
【０００３】
【発明が解決しようとする課題】
本考案は、就寝時に使用するドーナツ形首巻き健康寝具で、より手足の血行を良くする効果に優れ、かつ、違和感なく安定して着用できるドーナツ形首巻き健康寝具を提供することを課題とする。
【０００４】
【課題を解決する手段】
本発明ではマフラーをドーナツ形に加工し、首部への密着性を良くし、しかも、その内部にマイナスイオン発生体または遠赤外線放射性セラミックまたは電磁波発生磁気体などを内蔵することにより上記課題を解決した。
【０００５】
すなわち、本考案は手足の冷えのツボである首部を保温することに着眼し、
マフラーをドーナツ形にし密着性をあげることにより本考案を完成した。
【０００６】
【発明の実施の形態】
以下に添付図面を参照して、更に説明する。
【０００７】
図１に示すドーナツ形首巻き健康寝具１は布地２をドーナツ形に加工し、そのドーナツ形布地２の内部にマイナスイオン発生体３などを配置し、首部への密着性を考慮した構成をなしている。
【０００８】
【発明の効果】
本発明は、以上説明したように構成されているので、以下に記載されるような効果を奏する。
【０００９】
本発明によるドーナツ形首巻き健康寝具１を着用して、就寝すると、首周りにかけて非常に保温性が良く、手足の血行が良くなる。また、通常のマフラーを着用した場合に比べて疲労感の回復も早い。
【００１０】
更に、ドーナツ形首巻き健康寝具１は首周りから外れることなく安定して所定位置に保たれるため、就寝時は安眠が保たれる。
【００１１】
本発明によるドーナツ形首巻き健康寝具１は、その構造が一般に市販されている長尺物マフラーより簡単であるので、製造面で安価である。
【００１２】
【図面の簡単な説明】
【図１】ドーナツ形首巻き健康寝具の全体図
【符号の説明】
１．ドーナツ形首巻き健康寝具
２．布地
３．マイナスイオン発生体
【図１】
2004187897.tif 000003
(57)【要約】【課題】ラジコン模型が操縦者付近で停止している状態で目視で回転数を読み取ることしかできなかった。ラジコン模型の走行、飛行状態を最適に調整するには走行中、飛行中の各回転部の回転数を知ることが重要なことである。【解決手段】ラジコン模型が飛行中、走行中の回転部の回転数を知ることができることを提供する。【選択図】    図１
2004187835.tif 000002
【特許請求の範囲】
【請求項１】
ラジコン模型に搭載する回転計で飛行中、走行中のラジコン模型の回転部の回転数を検出する検出部を有し、検出した回転数を送信機からの信号により随時記憶するメモリーを備えることを特徴とする回転計。
【請求項２】
ラジコン模型に搭載する回転計で飛行中、走行中のラジコン模型の回転部の最高回転数を随時更新記憶させ後にそのデータを読み出し表示することを特徴とする回転計。
【請求項３】
ラジコン模型に搭載する回転計の操作をそのラジコン模型を操縦する送信機で行うことを特徴とする回転計。
【発明の詳細な説明】
【０００１】
【発明の属する技術分野】
この発明は、ラジコン模型の回転計に関する。
【０００２】
【従来の技術】
従来のラジコン模型の回転計は図３のような構成で図２のように搭載され、エンジン、プロペラ、ローター等の回転数を読み取っていた。
【０００３】
【発明が解決しようとする課題】
しかしながら、以上の従来技術によれば、ラジコン模型が操縦者付近で停止している状態で目視で回転数を読み取ることしかできなかった。ラジコン模型の走行、飛行状態を最適に調整するには走行中、飛行中の各回転部の回転数を知ることが重要なことである。
そこで、この発明は、ラジコン模型が飛行中、走行中の回転部の回転数を知ることができることを提供することを課題とする。
【０００４】
【課題を解決するための手段】
以上の課題を解決するために、請求項１の発明は、ラジコン模型に搭載した回転計で飛行中、走行中のラジコン模型の回転部の回転数を送信機からの信号により操縦者が任意のときにそのデータを随時記憶させ後にそのデータを表示させることによりラジコン模型の飛行中、走行中の回転数を知ることができることを特徴とした回転計である。
また、請求項２の発明は、飛行中、走行中のラジコン模型の回転部の最高回転数を随時更新記憶し後にそのデータを表示させることによりラジコン模型の飛行中、走行中の最高回転数を知ることができることを特徴とした回転計である。
また、請求項３の発明は、請求項１及び請求項２の表示切換、初期設定、請求項１の記憶時、後の表示の読み出し等の操作を操縦者が行う場合その操作をラジコン模型を操縦する送信機で行うことによりラジコン模型に触れることなく迅速かつ安全に読み取ることができることを特徴とした回転計である。
【０００５】
【発明の実施の形態】
この発明の一実施形態を、図１に示す。
検出部より入力された回転周期の信号は演算部により回転数に換算され表示部でその回転数が表示される。
【０００６】
通常ラジコン模型の無線機は複数のチャンネルがあり、操縦に必要なチャンネルのほかに予備のチャンネルがある。この予備チャンネルを使用することにより本発明は実施される。
【０００７】
操縦者からの任意の信号が送信機の予備チャンネルから出力され受信機を介して演算部に入力される。その信号が入力されたときの回転数が記憶部に記憶される。記憶部は複数のデータが記憶され、送信機からの任意の信号により順次読み出される。
【０００８】
書き込みと読み出しの切換は設定した回転数と実回転数の大小で切り換れる。
【０００９】
また常時入力される回転数の最大値を記憶部に記憶され送信機からの任意の信号により読み出される。
【００１０】
【実施形態の効果】
この実施形態によれば、操縦者の任意の時にラジコン模型が走行中、
飛行中でもその回転部の回転数を知ることができる。
【００１１】
【他の実施形態】
記憶された回転数の読み出しは送信機からの信号だけではなく回転計本体にスイッチを設けそれにより読み出すことも可能である。
【００１２】
【発明の効果】
以上説明したように、この発明によれば、ラジコン模型が走行中、
飛行中の各部の回転数を知ることができるのでエンジン、プロペラ、
ローター等の調整が勘に頼るところなく行える。
【００１３】
また送信機で全ての操作ができるので迅速かつ安全に調整ができる。
【００１４】
また最高回転を知ることにより操縦時の安全性やラジコン模型の耐久性を向上させることができる。
【００１５】
【図面の簡単な説明】
【図１】この発明の一実施形態を示す構成図である。
【図２】この発明の一実施形態を示す図である。
【図３】従来技術を示す構成図である。
【符号の説明】
１  ラジコン模型
２  回転計
【図１】
2004187835.tif 000003
【図２】
2004187835.tif 000004
【図３】
2004187835.tif 000005
(57)【要約】【課題】皮膚科の治療は部分治療が多く完全治療とは云いにくい  また薬局の薬を塗つた部分も  浸透せいの事もあり  完全治療はなかなか難しいのが現状であり  又高価である。【解決手段】殺菌効果の有るアルコールに  水虫菌の繁殖・潜伏していると思われる範囲以上の所を浸漬することで  水虫菌を殲滅する治療方法である。  再感染を防ぐため  靴内の消毒・殺菌  靴下・マツト等の消毒・殺菌を徹定する。【特許請求の範囲】
【請求項１】
水虫の治療に  消毒効果の有る濃度の  消毒用アルコールにて手・足を浸漬すること。
【発明の詳細な説明】
【０００１】
【産業上の利用分野】
この発明は  水虫の患部を含め  水虫菌の  繁殖・潜伏している  範囲以上の所を  アルコールにて  数分から時間単位で浸漬し  水虫菌を  消毒・殺菌  殲滅させる治療方法である。
【０００２】
【従来の技術】従来の技術は患部に太陽灯を当て  患部に耳の綿棒で水虫薬を塗つている  その様な方法では  足全体で繁殖・潜伏している  水虫菌の根絶は難しく  部分的には治つても  又再発し長年水虫に悩まされているのが現状である。
【発明が解決しようとする課題】
（１）    従来の局部治療でなく  水虫菌の  繁殖・潜伏しているところ以上の範囲を  アルコールで浸漬し  殺菌・消毒する  完全治療方法である。
（２）    投薬治療は副作用が心配である。
（３）    従来の方法では  かゆみが  なかなか  とまらない。
（４）    従来の方法では長年治療しても根冶しなかつたのが  短期間での完全治療ができる。
【発明の実施の形態】
本発明の実施について説明する。
（１）    アルコールに  水虫の  繁殖・潜伏していると思われる所すべてを浸漬する。
（２）    靴の内部をアルコールで  殺菌・消毒する。
（３）    靴下を消毒して使用する。
（４）    浴室マツトを消毒する。
（５）    アルコールの使用上の注意を尊守する。
（６）    アルコール・アレルギー  の方は使用の時に充分に注意する事。
【発明の効果】
この発明は水虫菌の  繁殖・潜伏していると思われる所以上の広い範囲を長い時間アルコールに浸漬する事で  水虫菌を残す事無く殲滅する。  靴内・靴下・マツト等も  徹定  消毒・殺菌する事で  いつそおの補助効果がある。
(57)【要約】【課題】従来、シワ、クスミ、イボ、皮膚がん、赤アザの治療方法は、美容整形や皮膚科医による治療などで対処するのが通常であるが、完治まで時間がかかり完全に完治するとは限らなかった。【解決手段】本発明者等は係る課題を解決するために鋭意研究したところ、シワ、クスミ、イボ、皮膚がん、赤アザの治療のため重水素減少水（スーパーライトウォーター）を含んだ湿布、パックを開発して、本発明を提供するものである。【選択図】    図１
2004231627.tif 000002
【特許請求の範囲】
【請求項１】
水と、１４９ｐｐｍ以下の含有量の重水素を有し、又は、活性剤として、１４９ｐｐｍ以下の含有量の重水素を含み、担体又は助剤と共に、製薬学的な製品或いは医薬溶液の形での、ヒトに適する水性溶液である、重水素減少水（スーパーライトウォーター）を含んだ湿布によるシワ、クスミ、イボ、皮膚がん、赤アザの治療方法。
【発明の詳細な説明】
【０００１】
【発明の属する技術分野】
本発明は、シワ、クスミ、イボ、皮膚がん、赤アザの治療方法を重水素減少水（スーパーライトウォーター）を含んだ湿布、パックによっておこなうものである。
【０００２】
【従来の技術】
一般にシワ、クスミ、イボ、皮膚がん、赤アザの治療方法は、美容整形や皮膚科医による治療などで対処するのが通常である。
【０００３】
【発明が解決しようとする課題】
しかしながら現実において、シワ、クスミ、イボ、皮膚がん、赤アザの治療には完治まで時間がかかり完全に完治するとは限らない。
【０００４】
【課題を解決するための手段】
本発明者等は係る課題を解決するために鋭意研究したところ、シワ、クスミ、イボ、皮膚がん、赤アザの治療のため重水素減少水（スーパーライトウォーター）を含んだ湿布、パックを開発して、本発明を提供するものである。
【０００５】
すなわち本発明は、シワ、クスミ、イボ、皮膚がん、赤アザの治療に最適な濃度の重水素減少水（スーパーライトウォーター）を含んだ湿布、パックを使用することを特徴とする。
【０００６】
【発明の実施の形態】
本発明は重水素減少水（スーパーライトウォーター）を湿布、パックに含ませ、患部に貼り付けることにより効果が表れる。
【０００７】
湿布は重水素減少水（スーパーライトウォーター）が含まれた粘着性の物（図１）であり、直接患部に張付けることが可能である。
【０００８】
パックは重水素減少水（スーパーライトウォーター）が含まれたパック剤であり、通常のパックと同じように顔面に張付ける（図２）ことが可能である。
【０００９】
【発明の効果】
以上説明したように、本発明によれば重水素濃度１４９ｐｐｍ以下の重水素減少水（スーパーライトウォーター）を湿布、パックに含ませ、患部に貼り付けることにより、患部の重水素濃度を低下させることにより、シワ、クスミ、イボ、皮膚がん、赤アザの治療に効果がある。
【図面の簡単な説明】
【図１】湿布剤の使用例
【図２】パック剤の使用例
【図１】
2004231627.tif 000003
【図２】
2004231627.tif 000004
(57)【要約】【課題】本発明は使用済みのペットボトルを利用して、抽出したお茶などを注入でき、茶漉し器具を取り付けることで急須の役割を備えるペットボトル用漏斗を提供することを目的としている。【解決手段】取り付け部１はペットボトルの口部より僅かに大きく形成され、ペットボトルと接続可能な構造である。茶漉し器具との接続部２ａはペットボトル用漏斗との接続部２ｂより僅かに大きく形成され、接続することができ飲料の漏洩を防ぐ。【選択図】  なし【特許請求の範囲】
【請求項１】
ペットボトルの口部とかみ合う大きさに形成された末端を持ち飲料を溢さずにペットボトルに入れることを特徴とするペットボトル用漏斗。
【請求項２】
漏斗の上部にかみ合う大きさに形成された末端を持つ茶漉し器具を取り付けることがでることを特徴とするペットボトル用漏斗。
【発明の詳細な説明】
【０００１】本発明は、使用済みのペットボトルを利用して、抽出したお茶などを注入でき、茶漉し器具を取り付けることで急須の役割を備えたものに関する。
【０００２】
【従来の技術】清涼飲料の容器として大量に使用されているペットボトルはその処理が問題となっている。一部は回収し、他の製品の原材料として再利用が図られているが、エネルギー資源の有効利用の観点から衛生的に再使用されることが望ましい。
【０００３】
【発明が解決しようとする課題】本発明は、使用済みペットボトルの有効利用を図るために、容易に飲料の注入及び製造することが出来る漏斗を提供することを目的としている。
【０００４】
【課題を解決するための手段】上記の目的を達成するために、本発明のペットボトル用漏斗はその構造から容易にペットボトル内に飲料を注入することができる。
【０００５】また、茶漉し器具を取り付けることで直接お茶などの飲料を製造し、容易にペットボトル内に飲料を注入することができる。
【０００６】
【図面の簡単な説明】
【図１】ペットボトル用漏斗の外観を示した説明図である。
【図２】ペットボトル用漏斗に取り付け可能な茶漉し器具の外観を示した説明図である。
【図３】ペットボトル用漏斗に取り付け可能な茶漉し器具の断面を示した説明図である。
【図４】ペットボトル用漏斗とペットボトル用漏斗に取り付け可能な茶漉し器具を接続した外観を示した説明図である。
【符号の説明】
Ｐ  ペットボトル
１  取り付け部
２ａ  茶漉し器具との接続部
２ｂ  ペットボトル用漏斗との接続部
３  ろ過器具部
【図１】
2004231284.tif 000002
【図２】
2004231284.tif 000003
【図３】
2004231284.tif 000004
【図４】
2004231284.tif 000005
(57)【要約】［課題］  従来は、熱接着部分のついたジッパー付き包装袋の開封は、熱接着部分を切り取ってしまう為、切り口双方がくっ付いてしまい、指がひかからなくて、開けにくかった。熱接着部分のないジッパー付き包装袋も同様である。［解決手段］  熱接着部分のついたジッパー付き包装袋は、ジッパー３を熱接着部分４又は１１より外側（図面上では、上の位置）に配置して、つまみの部分をつまみ易い形にする。そして、双方のつまみ部分をつまみ、左右に引っ張ってジッパーを広げて、更に熱接着部分も左右に引っ張る事で双方をはがして簡単に開封しやすくした包装袋である。熱接着部分のないジッパー付き包装もつまみの部分をつまみ易い形にする事で簡単に開封しやすくした包装袋である。【選択図】    図１
2004231290.tif 000002
【特許請求の範囲】
【請求項１】
ジッパー３を熱接着部分４又は、１１より外側（図面上ではジッパー３は、熱接着部分４又は１１より上に位置する）に付けて、つまみの形を図２、図３、図４、図５のような形のつまみにする事で、つまみ易く開封し易くした包装袋である。
【請求項２】
熱接着部分４又は１１は、つまみ１と２又は７と８又は９と１０又は５と６の組み合わせが出来る。
【請求項３】
更につまみ易くするために、各つまみは、つまみ２枚のうち片方のみ色をつけたり、又は違う色を双方につける。
【請求項４】
各つまみは、つまみ２枚のうち片方のみ又は２枚とも淵に又は全般にライン又は模様が入れば、更につまみ易くて開封し易い包装袋である。
【請求項５】
熱接着部分（４又は１１）のないジッパー付き包装袋でも、各つまみ１と２又は９と１０又は５と６又は７と８が図のような形であれば、同じように便利で使い易い包装袋である。
【請求項６】
つまみ９又は５又は６の形状は多角形、又は多角形の角を丸めた物、円の一部、楕円の一部等をつまみとして使用しても上記と同じ効果がある。
【発明の詳細な説明】
【０００１】
［発明の属する技術分野］
ビニール袋、湿布薬、化粧品袋、薬品袋等の取出し口に使われている。
【０００２】
［従来の技術］
従来は熱接着部分がジッパーの外側（図面上ではジッパーの上）にあり、熱接着部分を切り取ってジッパーを開いていた。熱接着部分がないジッパー付き包装袋は、つまみ双方がくっ付いてつまみ難い構造であった。
【０００３】
［発明が解決しようとする課題］
熱接着の部分が外側にある物は、切り取った後、切り口（つまみ部分となる）がくっ付いてしまい、指にひかからなくてつまみにくかった。熱接着の部分のない物でも同様である。
【０００４】
［課題を解決するための手段］
つまみ部分をつまみ易い形状にする。そして、熱接着の部分を切取るのではなく、内側に配置する。つまみを引っ張る事で、ジッパーを広げ、更に熱接着部分も引っ張って広げる事で簡単に開封出来るようにした。
【０００５】
［発明の実施の形態］
以下、本発明の実施の形態について説明する。
（イ）つまみ部分は、左右とも一枚ずつ、つまめるようにつまみを配置した。
（ロ）熱接着の部分は、つまみ又はジッパーを左右に引っ張ることで２枚をはがして開封出来るようにする。
【０００６】
［発明の効果］
つまみを図２，３，４，５のような形により、簡単につまめるようになり、熱接着の部分を切らなくても、左右に引っ張りながらはがす事で、簡単に開封できるようになった。
【図面の簡単な説明】
【図１】本発明のつまみをつまむ時の正面図である。
【図２】本発明の正面図である。
【図３】本発明の正面図であり、片方のつまみ９だけが長く飛び出てる包装袋である。
【図４】本発明の正面図であり、２枚のつまみが重ならないようにしてある包装袋である。
【図５】本発明の正面図であり、つまみ７のほうがつまみ８より短い包装袋である。
【図６】本発明の正面図であり、熱接着の部分がＶ字にする事で熱接着の部分４より更に開け易くなる包装袋である。
【符号の説明】
１  片方のつまみ
２  もう一方のつまみ
３  ジッパー
４  熱接着の部分
５  片方のつまみ
６  もう一方のつまみ
７  ８より長い片方のつまみ。
８  ７より短いもう一方のつまみ
９  飛び出ているつまみ
１０  もう一方のまっすぐなつまみ
１１  Ｖ字状の熱接着の部分
【図１】
2004231290.tif 000003
【図２】
2004231290.tif 000004
【図３】
2004231290.tif 000005
【図４】
2004231290.tif 000006
【図５】
2004231290.tif 000007
【図６】
2004231290.tif 000008
(57)【要約】【課題】本発明のプルトップタブ（３）は、指先、爪先を傷めることがなく、開缶することができるプルトップ構成である。【解決手段】開缶を簡単にする為に缶の軸（６）を基点としてた開口部（４）の反対面に突起部（２）を設け、プルトップタブ（３）の先端の指かけ部（８）に指あて部（１）を設け、指あて部（１）に指先をかけて滑らかな隆起した突起部（２）の方向に回軸をすると、タブの指かけ部（８）中間部は、突起部（２）の上に浮上し、タブの先端は大きく離れる構造となっている。【選択図】  図１
2004231287.tif 000002
【特許請求の範囲】
【請求項１】
天板（７）に軸着されたプルトップタブ（３）の先端の指かけ部（８）に上方に山型状に突出した指あて部（１）を設け、天板（７）の軸（６）を基点とした開口部（４）の反対面に突起部（２）を設けたプルトップ構造。
【請求項２】
プルトップタブ（３）の指あて部（１）及び、突起部（２）は缶自体の外周上部（１０）から突出のないものであり、缶の重積み可能とした請求項１記載のプルトップ構造。
【発明の詳細な説明】
【０００１】
【発明の属する技術分野】
この発明は、指先が簡単にかけることができるように構成したプルトップの構造に関するものである。
【０００２】
【従来の技術】
従来では、プルトップタブ（３）の指かけ部（８）が天板（７）に平行に装着されていて、天板（７）にくぼみを設けたものやタブの先端が上方に曲状となっているもの等があった。
【０００３】
【発明が解決しようとする課題】
従来のプルトップタブ（３）は、缶体（５）の天板（７）に密着状態に装着されているので、開缶をするときに、指先、爪先で困難を生じて爪先を傷める場合もあり、又天板（７）にくぼみやタブの先端が曲状に設けられたものでは、女性方の付け爪の場合は、開缶することができないことがあった。
本発明は、これらの欠点を除く為になされたものである。
【０００４】
【課題を解決するための手段】
缶用天板（７）に切り込み溝で形成された開口部（４）を設け、プルトップタブ（３）軸着する。タブの一端に指あて部（１）を設ける。天板（７）の軸（６）を基点とした開口部（４）の反対面に滑らかに隆起した突起部（２）を設ける。  本発明は以上の構成である。
【０００５】
【発明の実施の形態】
以下、本発明の実施の形態について説明する。
（イ）  天板（７）の中心位置に一端側で軸着されたプルトップタブ（３）の先端側は、開孔部を有する指かけ部（８）となっている。図１の事例においては、前記開孔部の一側辺に上方に山型状となった指あて部（１）が形成されている。
（ロ）  滑らかに隆起した突起部（２）は軸（６）を基点として、切り込み溝で構成された開口部（４）の真反対面に突起頂点がくるようになっている。
尚、この突起部（２）はタブの軸動方向にそって少しづつ隆起するものであり、タブの移動する下位置にある。
（ハ）  プルトップタブ（３）は天板（７）の軸（６）を基点として、開口部（４）と突起部（２）の中間に横向に設ける。
（ニ）  上記、突起部（２）と指あて部（１）は、図３に示すように缶体（５）の外周上部（１０）より低く設けられている。
本発明は以上のような構造で、図３に示す状態で指あて部（１）に指先をあてがい、滑らかに隆起した突起部（２）の方向に回転させ、図４に示すようにタブの中間より先端部が突起部（２）の頂点に達し、タブの指かけ部（８）は隆起により持ち上がった状態となり、タブの押し込み部（９）の先端は開口部（４）に接触した状態となる。タブをはね起こすと図５に示すように開缶ができ、立ち上げたタブを戻して飲料等の内容物を飲む。上記構成の突起部（２）と指あて部（１）は、缶体（５）の外周上部（１０）より低く設けているので、図６に示すように他の缶の底をのせて、積み重ねて保管、運搬をすることも可能としたプルトップ構造である。
【０００６】
【発明の効果】
タブの指あて部（１）に指先をかけ、滑らかに隆起した突起部（２）へ回転をすることで天板（７）との間隔が大きくなり、指先、爪先を傷めることなく安全に開缶ができる。指あて部（１）と突起部（２）は缶の外周上部（１０）より低く設けたことで、積載時に安定した状態で運ぶことができる。
【図面の簡単な説明】
【図１】本発明の斜視図である。
【図２】本発明の平面図である。
【図３】本発明の設定断面図である。
【図４】本発明の開缶前の断面図である。
【図５】本発明の開缶後の断面図である。
【図６】本発明の積重状態の断面図である。
【符号の説明】
１  指あて部
２  突起部
３  プルトップタブ
４  開口部
５  缶体
６  軸
７  天板
８  指かけ部
９  押し込み部
１０  外周上部
【図１】
2004231287.tif 000003
【図２】
2004231287.tif 000004
【図３】
2004231287.tif 000005
【図４】
2004231287.tif 000006
【図５】
2004231287.tif 000007
【図６】
2004231287.tif 000008
(57)【要約】【課題】この発明は，円筒形状タンクから流体を排出するにあたり渦の発生を抑制し，効率よく流体を排出する装置である。【解決手段】円筒形状タンク内部に仕切り板を設けることによって流体が減っていくに際にコリオリの力によって生じる渦が抑制され，効率よく流体を排出できる。【選択図】図１
2004231289.tif 000002
【特許請求の範囲】
【請求項１】
タンク内部に仕切り板を追加することによって，流体排出時
に発生する渦を抑制し，効率よく排出する装置。
【発明の詳細な説明】
【０００１】
【発明の属する技術分野】
この発明は，円筒形状タンクから流体を排出するにあたりコリオリ
の力によって発生する渦を抑制し，効率よく排出する装置である。
【０００２】
【従来の技術】
従来の円筒形状タンクは排出口から流体を排出するにあたり，流体が減ってくるにつれてコリオリの力により徐々に流体が渦を巻き，大
きな抵抗が生じて排出量が不足していた。
【０００３】
【発明が解決しようとする課題】
流体が持つ位置エネルギが運動エネルギとなり排出口から排出される。この時流体が渦を巻くことにより余分な流体が運動エネルギを持ち，大きな損失となり効率よく流体を排出することが出来なかった。
【０００４】
【課題を解決する為の手段】
構成を下記に説明する。図は図面１を参照すること。
（イ）円筒タンク内部に渦の発生を抑制する仕切り板を設ける。
（ロ）仕切り板はタンク形状によって枚数や形状，厚みは異なる。
（ハ）上記（イ），（ロ）を組み合わせた構成。
以上のように構成される。
【０００５】
【発明の実施の形態】
次に，本発明の実施の形態について実験結果を例にあげて説明する。
内径４００ｍｍ，高さ１００ｍｍの円筒形状タンク（容量３Ｌ）において，流体（水）を排出する実験を行った。排出口はΦ１２．５ｍｍであり，その先にホースがつないである。
このタンクにおいて内部に仕切り板を設けない場合，３Ｌ排出するのに要した時間は５６秒であった。この時流体が減っていく過程において渦が発生し，急激に排出量が減少した。
次にタンク内部に仕切り板を設けることで３Ｌ排出する時間が２０秒に短縮された。この時，渦の発生がほとんど無く，仕切り板の効果が確認された。
最後に，仕切り板の形状，枚数，厚みを実験によって最適形状を探索し，最短１２秒で３Ｌの水を排出できることが確認された。
【０００６】
【発明の効果】
円筒形状タンクから流体を排出するとき，流体が減ってくるにつれてコリオリの力により渦が発生する。この時仕切り板により渦の発生が抑制され，流体が余分な運動エネルギを持つことなく排出口から排
出される。
【図面の簡単な説明】
【図１】本発明の装置図
【符号の説明】
１は円筒形状タンク
２は仕切り板
３は排出口
【図１】
2004231289.tif 000003
(57)【要約】【課題】台紙を比較的小さな力で搬送することによっても効率よくラベルを剥離できるラベルの剥離装置を提供する。【解決手段】台紙１の裏面から転向ピン１０を当接させて形成されるエッジＥを境に台紙１を転向させ、ラベル２のみを直進させるようにして剥離させるラベルの剥離装置において、転向ピン１０を台紙１上のラベル２が角隅部から剥離が開始されるように、台紙の進行方向に対して斜めに取り付ける。【選択図】        図２
2004231274.tif 000002
【特許請求の範囲】
【請求項１】
連続帯状の台紙に感圧性粘着剤を介して仮着されたラベルを送出しつつラベルを剥離する剥離装置であって、前記台紙の裏面から転向器を当接させて形成されるエッジを境に台紙を転向させ、ラベルのみを直進させるようにしたものにおいて、前記転向器は台紙上のラベルが角隅部から剥離が開始されるように、台紙の進行方向に対して非対称なエッジを形成するものであることを特徴とする剥離装置。
【発明の詳細な説明】
【０００１】
【発明の属する技術分野】
本発明は、商品に値段や原材料、賞味期限などを表示する商品ラベルや封筒などに貼付する宛名ラベル等のラベルを作成するラベルプリンタや、これらのラベルを対象物に貼付する自動ラベル貼付機、ハンドラベラーなどに用いて好適な感圧粘着性ラベルの剥離装置に関する。
【０００２】
【従来の技術】
従来、感圧粘着性のラベルが仮着（剥離可能な状態で接着）された連続台紙からラベルを剥離する剥離装置としては、例えば図３および図４に示すものが知られている。
図中、１は連続帯状台紙であり、表面はシリコーンなどにより剥離剤処理されている。２は前記台紙１上に感圧性粘着剤を介して仮着されたラベルであり、該ラベル２は前記台紙１と共に、印字ヘッド３および回転するプラテンローラ４に挟まれて、図中右側から左側へ送出される。
【０００３】
印字ヘッド３はこのとき、各ラベル２に印字を行い、印字済みのラベル２は台紙１と共に転向ピン（転向器）５の上に送られる。
６は前記プラテンローラ４に押圧されて回転するニップローラであり、該ニップローラ６は前記転向ピン５よりも下流側で台紙１を引っ張り搬送する。
【０００４】
そして、前記転向ピン５は台紙１に裏面側から当接してエッジＥ（図４）を形成し、該エッジＥを境に台紙１が転向してラベル２のみを直進させ、台紙１から剥離するようにしている。
【０００５】
【特許文献１】
登録実用第３０４９８２５号公報
【０００６】
【発明が解決しようとする課題】
ところで、従来の剥離装置ではラベル付きの台紙１が転向ピン５の上で強く屈曲されるため、台紙１を引き出すためには強い力が必要であり、ラベルプリンタに用いる場合にはトルクの大きなモータが必要であった。
【０００７】
また、台紙１と共にラベル２も大きな力で引っ張られるため、印字ヘッド３からラベル２に印字する字体や画像が延びてしまうという問題もあった。
【０００８】
本発明は上記課題を解決するためなされたものであり、本発明は台紙を比較的小さな力で搬送することで効率よくラベルを剥離できるようにした剥離装置を提供することを目的とする。
【０００９】
【課題を解決するための手段】
上記課題を解決するために、本発明が採用する構成の特徴は、台紙上のラベルが角隅部から剥離が開始されるように、転向器を台紙の進行方向に対して非対称なエッジを形成するようにしたことにある。
【００１０】
【発明の実施の形態】
以下、発明の実施の形態について図１および図２を参照しつつ説明する。なお、上述した従来の技術と同一の構成要素には同一符号を付し、その説明は省略する。
【００１１】
図中、１０は本実施の形態で用いる転向ピンであり、該転向ピン１０は従来の技術で述べた転向ピン５とほぼ同様に、プラテンローラ４および印字ヘッド３の下流側に設けられ、台紙１の裏面から当接するものの、該転向ピン１０は台紙１およびラベル２と同一平面上で、台紙１の進行方向に対して斜めに配設されている。
【００１２】
１１、１１は台紙１を表、裏面側の両方向から挟んで回転し、これを搬送するニップローラであり、該ニップローラ１１は前記転向ピン１０とは平行に、プラテンローラ４とはねじれ位置関係になるように軸が取付けられている。
【００１３】
本実施の形態は以上の構成を有するものであって、ラベル付の台紙を搬送しつつ印字を行い、ラベルのみ剥離する動作において従来のものと格別差異はない。
【００１４】
然るに、転向ピン１０およびニップローラ１１，１１を台紙１の進行方向に対して斜めに配置したから、前記転向ピン１０が台紙１に裏面側から当接して形成するエッジＥ（図２）はラベル２に対して斜めとなり、ラベル２の角隅部から剥離が始まるようにできる。
【００１５】
これにより、従来よりも確実にラベルの剥離ができ、台紙１の引き抜きの力を抑えてトルクの小さなモータも使用できるようになる。
また、ラベル２に印字される字体や画像がラベル送り方向に延びるといった現象も緩和される。
【００１６】
尚、本発明の剥離装置は上述の実施の形態にのみ限定されるものではなく、本発明の要旨を逸脱しない範囲内において種々変更が可能である。
例えば、転向器として転向ピン１０を例示したが、本発明の転向器はピン形状のものに限定することなく、小径のローラーや板状部材の辺を利用してもよく、プリンタの筐体に形成したスリットなどであってもよい。
【００１７】
【発明の効果】
以上、説明したように本発明によれば、台紙を比較的小さな力で搬送することによっても効率よくラベルを剥離できるという優れた効果を奏する。
【図面の簡単な説明】
【図１】従来の技術による剥離装置を示す正面図である。
【図２】図１を上から見た状態を示す説明図である。
【図３】本発明の実施の形態に係る剥離装置を示す正面図である。
【図４】図３を上から見た状態を示す説明図である。
【符号の説明】
１…台紙、２…ラベル、３…印字ヘッド、４…プラテンローラ、１０…転向ピン（転向器）、１１…ニップローラ
【図１】
2004231274.tif 000003
【図２】
2004231274.tif 000004
【図３】
2004231274.tif 000005
【図４】
2004231274.tif 000006